(57)【要約】      （修正有）【課題】撮影画像の一部を拡大表示して撮影装置の合焦位置を調整可能なピント調節装置において、撮影者の意図した位置にピントが合っていない状態を検出する画像処理装置及びその制御方法を提供する。【解決手段】撮影画像を取得する入力部１００と、ユーザから撮影画像における一部の領域を指定する指示の入力を受け付ける入力手段を有し、撮影画像のピントの状態を検出する第１合焦評価部１０２、およびユーザに指定された領域の画像である部分画像のピントの状態を検出する第２合焦評価部１０３からの合焦評価値に基づき、撮影画像においてユーザが意図した位置にピントが合っているか判定する。【選択図】図１
2016218218.tif 000002
【特許請求の範囲】
【請求項１】
撮影画像を取得する取得手段と、
ユーザから前記撮影画像における一部の領域を指定する指示の入力を受け付ける入力手段と、
前記撮影画像のピントの状態と、前記ユーザに指定された領域の画像である部分画像のピントの状態と、に基づき、前記撮影画像においてユーザが意図した位置にピントが合っているか判定する判定手段と、
を備える画像処理装置。
【請求項２】
前記判定手段は、前記撮影画像内にピントが合っている被写体があり、かつ、前記部分画像内にピントが合っている被写体がない場合に、ユーザが意図した位置にピントが合っていないと判定する請求項１に記載の画像処理装置。
【請求項３】
前記判定手段は、前記撮影画像内にピントが合っている被写体があり、かつ、前記部分画像内にピントが合っている被写体がない状態が、所定時間以上継続した場合に、ユーザが意図した位置にピントが合っていないと判定する請求項１に記載の画像処理装置。
【請求項４】
前記判定手段は、前記撮影画像内にピントが合っている被写体がなく、かつ、前記部分画像内にピントが合っている被写体がない状態が、所定時間以上継続した場合に、ユーザが意図した位置にピントが合っていないと判定する請求項１に記載の画像処理装置。
【請求項５】
前記判定手段は、一定時間毎に、前記撮影画像内にピントが合っている被写体があり、かつ、前記部分画像内にピントが合っている被写体がない状態であるかの判定を繰り返し行い、当該状態であると判定された回数が基準回数以上になると、当該状態が所定時間以上継続したと判定する請求項３に記載の画像処理装置。
【請求項６】
前記判定手段は、一定時間毎に、前記撮影画像内にピントが合っている被写体がなく、かつ、前記部分画像内にピントが合っている被写体がない状態であるかの判定を繰り返し行い、当該状態であると判定された回数が基準回数以上になると、当該状態が所定時間以上継続したと判定する請求項４に記載の画像処理装置。
【請求項７】
前記判定手段により、前記撮影画像においてユーザが意図した位置にピントが合っていないと判定された場合に、ピントが合っていないことをユーザに通知する通知手段をさらに備える請求項１〜６のいずれか１項に記載の画像処理装置。
【請求項８】
前記撮影画像の合焦度合を算出する第１の算出手段をさらに備え、
前記判定手段は、前記撮影画像の合焦度合が第１の基準値以上の場合に、前記撮影画像内にピントが合っている被写体があると判定する請求項１〜７のいずれか１項に記載の画像処理装置。
【請求項９】
前記部分画像の合焦度合を算出する第２の算出手段をさらに備え、
前記判定手段は、前記部分画像の合焦度合が第２の基準値以下の場合に、前記部分画像内にピントが合っている被写体がないと判定する請求項１〜８のいずれか１項に記載の画像処理装置。
【請求項１０】
前記撮影画像を撮影する撮影装置がマニュアルフォーカスモードであるかオートフォーカスモードであるかの情報を取得する第２の取得手段をさらに備え、
前記判定手段は、前記撮影装置がマニュアルフォーカスモードである場合に、前記撮影画像においてユーザが意図した位置にピントが合っているかの判定を行う請求項１〜９の
いずれか１項に記載の画像処理装置。
【請求項１１】
前記撮影画像を撮影する撮影装置がオートフォーカスモードにおいて一時的にユーザが手動でピントの位置を調整可能なフォーカスロックが有効であるか否かの情報を取得する第３の取得手段をさらに備え、
前記判定手段は、前記撮影装置でフォーカスロックが有効である場合に、前記撮影画像においてユーザが意図した位置にピントが合っているかの判定を行う請求項１〜１０のいずれか１項に記載の画像処理装置。
【請求項１２】
請求項１〜１１のいずれか１項に記載の画像処理装置と、
画像を表示する表示手段と、
前記表示手段に前記撮影画像を表示する全体表示モードと、前記表示手段に前記部分画像を拡大して表示する拡大表示モードと、を切り替える制御手段と、
を備える表示装置。
【請求項１３】
請求項１〜１１のいずれか１項に記載の画像処理装置を備える撮影装置。
【請求項１４】
撮影画像を取得する取得工程と、
ユーザから前記撮影画像における一部の領域を指定する指示の入力を受け付ける入力工程と、
前記撮影画像のピントの状態と、前記ユーザに指定された領域の画像である部分画像のピントの状態と、に基づき、前記撮影画像においてユーザが意図した位置にピントが合っているか判定する判定工程と、
を有する画像処理装置の制御方法。
【発明の詳細な説明】
【技術分野】
【０００１】
本発明は、画像処理装置及びその制御方法に関するものである。
【背景技術】
【０００２】
近年、画像制作において、８Ｋや４Ｋといった高精細な画像が普及しつつある。これらの画像は、非常に高精細であるため、撮影装置に内蔵されたビューファインダのような小さな画面で、撮影者が合焦状態（ピントが合っているか）を判断することが難しい。そこで、撮影装置で撮影中の画像を外部の表示装置に伝送し、撮影者は、表示装置の画面を見て、ピントを合わせる方法が用いられることもある。さらに、表示装置にて、撮影中の画像の一部を拡大して表示し、撮影者は、その部分画像を見て、ピントを合わせる方法が用いられることもある。特許文献１では、撮像画像を複数の領域に分割し、撮像画像の高周波成分が最大の領域を検出し、その領域を自動的に拡大して表示する技術が提案されている。
【先行技術文献】
【特許文献】
【０００３】
【特許文献１】特開２００５−１８４５８５号公報
【発明の概要】
【発明が解決しようとする課題】
【０００４】
しかしながら、上述した従来の技術では、表示装置の部分画像を見てピントを合わせる場合、撮影画像の部分画像以外の領域が見えない。そのため、撮影装置のピントが、部分画像として選択された領域以外の領域に合っていたとしても、そのことに撮影者が気付かない場合もある。このような状況としては、例えば、被写体にピントを合わせた後に、被写体が移動し、ピントが被写体に合っていない状態になった場合等を例示できる。一方、マニュアルフォーカスモードにおいて、撮影者は、ピント位置を確認するために、意図的にピント位置を目標の前後に調整することがある。このような状況において、ピントずれを検出して警告すると撮影者にはわずらわしく感じられる可能性もある。
【０００５】
そこで、本発明は、撮影装置による撮影画像の一部を拡大表示して撮影者が撮影画像のピントの状態を確認することを支援する画像処理装置において、撮影者の意図した位置にピントが合っていない状態を検出することを目的とする。
【課題を解決するための手段】
【０００６】
本発明は、撮影画像を取得する取得手段と、
ユーザから前記撮影画像における一部の領域を指定する指示の入力を受け付ける入力手段と、
前記撮影画像のピントの状態と、前記ユーザに指定された領域の画像である部分画像のピントの状態と、に基づき、前記撮影画像においてユーザが意図した位置にピントが合っているか判定する判定手段と、
を備える画像処理装置である。
【０００７】
本発明は、撮影画像を取得する取得工程と、
ユーザから前記撮影画像における一部の領域を指定する指示の入力を受け付ける入力工程と、
前記撮影画像のピントの状態と、前記ユーザに指定された領域の画像である部分画像のピントの状態と、に基づき、前記撮影画像においてユーザが意図した位置にピントが合っ
ているか判定する判定工程と、
を有する画像処理装置の制御方法である。
【発明の効果】
【０００８】
本発明によれば、撮影装置による撮影画像の一部を拡大表示して撮影者が撮影画像のピントの状態を確認することを支援する画像処理装置において、撮影者の意図した位置にピントが合っていない状態を検出することが可能となる。
【図面の簡単な説明】
【０００９】
【図１】実施例１〜２の表示装置の概略構成を示す図
【図２】実施例１〜２の表示装置が、使用される環境を示す図
【図３】実施例１の部分画像中のピント位置ずれ検出処理を示すフローチャート
【図４】実施例１のピント位置ずれ検出処理を具体的な撮影画像を用いて説明した図
【図５】実施例２の部分画像中のピント位置ずれ検出処理を示すフローチャート
【図６】実施例２のピント位置ずれ検出処理を具体的な撮影画像を用いて説明した図
【発明を実施するための形態】
【００１０】
（実施例１）
図１は、本発明の実施例１に係る表示装置の概略構成を示す図である。図１を用いて、表示装置の概略構成を説明する。この表示装置は、撮影装置による撮影画像のピントの状態をユーザが確認することを支援する画像処理装置と、画像を表示する表示手段と、を備える表示装置である。なお、ここで画像とは、静止画像および動画像を含むものである。
【００１１】
入力部１００は、外部の撮影装置から撮影画像の画像データを取得する。入力部１００は、有線又は無線の通信により画像データを受信する。
切り出し部１０１は、表示装置の外部から入力された撮影画像から一部の領域を切り出し、部分画像として、第２合焦評価部１０３へ出力する。切り出し部１０１が、撮影画像のうちどの領域を切り出すかの位置を指定する指示のユーザからの入力は、制御部１０７に入力され、制御部１０７が切り出し部１０１に指示する。
【００１２】
第１合焦評価部１０２は、撮影画像の合焦度合を示す合焦評価値を算出し、検出部１０４へ出力する第１の算出手段である。ここで、合焦評価値とは、撮影画像の全画素に占める合焦している画素の割合であり、０から１の間の値であるとする。なお、合焦の判断方法としては、コントラストによる方法が知られている。第１合焦評価部１０２は、撮影画像を複数の領域に分割し、領域毎にコントラストを算出する。さらに、第１合焦評価部１０２は、コントラストが基準より大きい領域に属する画素を合焦している画素、それ以外を合焦していない画素と判断する。
【００１３】
第２合焦評価部１０３は、切り出し部１０１が出力した部分画像の合焦評価値を算出する第２の算出手段である。合焦評価値の算出方法は、第１合焦評価部１０２と同様である。
検出部１０４は、撮影画像のピントの状態と、部分画像のピントの状態と、に基づき、撮影画像においてユーザが意図した位置にピントが合っているか判定する。実施例１では、検出部１０４は、第１合焦評価部１０２及び第２合焦評価部１０３が出力した２個の合焦評価値から、ピント位置ずれを検出し、検出結果を制御部１０７へ通知する。なお、ピント位置ずれの検出方法の詳細は、後述する。
【００１４】
切り換え部１０５は、外部から入力された撮影画像と切り出し部１０１が出力した部分画像のいずれか一方を選択して、表示部１０６へ出力する。すなわち切り換え部１０５は、表示部１０６に撮影画像を表示する全体表示モードと、表示部１０６に部分画像を拡大
して表示する拡大表示モードと、を切り換える制御を行う。切り換えは、例えば外部からユーザの指示の入力を受けて行われる。
【００１５】
表示部１０６は、切り換え部１０５が出力した画像を表示する。以下、外部から入力された撮影画像を表示する場合を「全体表示」、部分画像を表示する場合を「拡大表示」という場合がある。
制御部１０７は、表示装置の全体動作を制御する。制御部１０７は、ユーザから撮影画像における一部の領域を指定する指示の入力を受け付ける入力手段である。入力を受け付ける具体的な構成はここでは省略するが、キーボード、マウス、タッチパネル等の一般的な入力装置を適用できる。
【００１６】
図２は、本発明の実施例１に係る表示装置が、使用される状況の一例を示す図であり、他の装置等との接続を示している。図２を用いて、表示装置が使用される状況の一例を説明する。
表示装置２０１は、図１を用いて概略構成を説明した表示装置である。
撮影装置２０２は、画像を撮影する装置であり、撮影画像を表示装置２０１へ出力する。
表示装置２０１と撮影装置２０２とは、無線又は有線の通信手段により画像データを通信する。
撮影者２０３（ユーザ）は、表示装置２０１及び撮影装置２０２を操作し、画像を撮影する。表示装置２０１への操作は、制御部１０７が受け付け、制御部１０７が表示装置２０１の各部を制御することにより、操作に対応した動作を実現する。
【００１７】
ピントの調整に関して、撮影者２０３が、表示装置２０１及び撮影装置２０２に対して行う操作を説明する。撮影装置２０２は、マニュアルフォーカスが可能な構成であり、撮影者２０３が、レンズのフォーカスリングを回すことにより、ピントを合わせる距離を調整する。撮影者２０３は、表示装置２０１が有する操作ボタン（不図示）を押すことにより、表示装置２０１の全体表示と拡大表示を切り換える。さらに、撮影者２０３は、表示装置２０１に、部分画像に切り出す位置を指示する。
【００１８】
一般的な手順としては、撮影者２０３は、表示装置２０１を全体表示に設定し、その画面を見ながら撮影装置の向きを調整して、構図を決定する。次に、撮影者２０３は、フォーカスリングを回して、所望の被写体にピントを合わせる。さらに、撮影者２０３は、所望の被写体が表示されている位置を切り出し位置として指定して、表示装置２０１を拡大表示に切り換える。その上で、撮影者２０３は、拡大表示を見ながら、より厳密に被写体にピントを合わせる。
【００１９】
図３は、本発明の実施例１に係る表示装置が、拡大表示中に実行するピント位置ずれ検出処理を示すフローチャートである。図３を用いて、ピント位置ずれ検出処理を説明する。表示装置２０１は、拡大表示中であるとき、図３の処理を繰り返し実行する。繰り返し頻度は、１〜５秒に１回程度が好ましいが、それに限るものではない。
【００２０】
Ｓ３０１：第１合焦評価部１０２は、全体画像の合焦評価値を算出する。
Ｓ３０２：第２合焦評価部１０３は、部分画像の合焦評価値を算出する。
Ｓ３０３：検出部１０４は、全体画像の合焦評価値が、第１の基準値以上か判断する。全体画像の合焦評価値が第１の基準値以上の場合、検出部１０４は、全体画像内（撮影画像内）にピントが合っている被写体があると判定し、Ｓ３０４に進む。全体画像の合焦評価値が第１の基準値より小さい場合、終了する。第１の基準値としては、例えば、全体画像の全画素の３割が合焦していることを意味する０．３とすることができる。この数値は例示でありこれに限定されない。
【００２１】
Ｓ３０４：検出部１０４は、部分画像の合焦評価値が、第２の基準値以下か判断する。部分画像の合焦評価値が第２の基準値以下の場合、検出部１０４は、部分画像内にピントが合っている被写体がないと判定し、Ｓ３０５に進む。部分画像の合焦評価値が第２の基準値より大きい場合、終了する。第２の基準値としては、例えば、部分画像の全画素の６割が合焦していることを意味する０．６とすることができる。この数値は例示でありこれに限定されない。なお、全体画像の合焦評価値の第１の基準値と部分画像の合焦評価値の第２の基準値は、異なっていてもよいし、同じであってもよい。
【００２２】
Ｓ３０５：検出部１０４は、ピントが、部分画像の領域からずれている、すなわちユーザが意図した位置にピントが合っていないと判断し、ピント位置ずれとして検出し、制御部１０７へ通知する。このように、実施例１では、撮影画像内にピントが合っている被写体があり（Ｓ３０３：Ｙｅｓ）、かつ、部分画像内にピントが合っている被写体がない（Ｓ３０４：Ｙｅｓ）場合に、ユーザが意図した位置にピントが合っていないと判定する。この判定に基づき、検出部１０４はピント位置ずれを検出する。
【００２３】
図４は、本発明の実施例１に係る表示装置が実行するピント位置ずれ検出処理を具体的な撮影画像を用いて説明した図である。図４を用いて、３つの具体的な画像に対して、ピント位置ずれ検出処理の内容を説明する。
【００２４】
図４（Ａ）の画像について説明する。全体画像（撮影画像）には、手前と奥に並んだ二人の人が写っている。撮影者２０３は、奥の人Ｘにピントを合わせようとして、奥の人Ｘを部分画像の位置として指定している。撮影装置２０２のピントは、実際には、手前の人Ｙに合っており、奥の人Ｘからは外れている。この場合、全体画像は合焦しているが（Ｓ３０３においてＹｅｓ）、部分画像は合焦していないため（Ｓ３０４においてＹｅｓ）、検出部１０４は、ピント位置ずれとして検出する（Ｓ３０５）。詳細は後述するが、この場合、撮影者２０３は、ピントを合わせ直す操作をする。
【００２５】
図４（Ｂ）の画像について説明する。全体画像（撮影画像）には、図４（Ａ）と同じく、手前と奥に並んだ二人の人が写っている。撮影者２０３は、図４（Ａ）と同じく、奥の人Ｘにピントを合わせようとして、奥の人Ｘを部分画像の位置として指定している。撮影装置２０２のピントは、図４（Ａ）とは異なり、実際には、手前の人Ｙと奥の人Ｘの中間の距離に位置している。この場合、全体画像が合焦していないため（Ｓ３０３においてＮｏ）、検出部１０４は、ピント位置ずれとして検出しない。ピントをある位置から別の位置へ移動させる操作（いわゆる「ピント送り」）を行っている途中に、図４（Ｂ）の状態となるが、本発明では、この状態をピント位置ずれとして検出しない。
【００２６】
図４（Ｃ）の画像について説明する。全体画像（撮影画像）には、撮影装置２０２から等距離に並んだ二人の人が写っている。撮影者２０３は、向かって右の人Ｘにピントを合わせようとして、右の人Ｘを部分画像の位置として指定している。撮影装置２０２のピントは、右の人Ｘと左の人Ｙの両方に合っている。この場合、全体画像が合焦しており（Ｓ３０３においてＹｅｓ）、部分画像も合焦しているため（Ｓ３０４においてＮｏ）、検出部１０４は、ピント位置ずれとして検出しない。
【００２７】
ピント位置ずれが検出された場合の、表示装置２０１の動作を説明する。制御部１０７は、グラフィック描画機能により「ピント位置がずれています」といった文言を表示部１０６へ表示し、撮影者２０３へ通知する。通知方法としては、文言の表示に限らず、ＬＥＤを点灯させる方法等でもよい。このような通知がなされることで、撮影者２０３は、意図した位置にピントが合っていないことに気付くことができ、表示装置２０１の部分画像を見ながら、撮影装置２０２のフォーカスリングを回して、被写体にピントを合わせ直す
等の行動をとることができる。すなわち、これにより撮影者が撮影画像のピントの状態を確認することを支援することができる。なお、ピントが大きくずれた場合には、撮影者２０３は、一旦、表示装置２０１を全体表示に戻し、全体画像を見ながら被写体にピントを合わせ直した後、拡大表示に切り換え、より厳密にピントを合わせることもできる。
【００２８】
実施例１によれば、部分画像の合焦評価値が基準値以下の場合（図３のＳ３０４においてＹｅｓ）、ピント位置ずれとして検出することにより、ピント位置ずれを撮影者に通知し、ピントの再調整を促すことができる。
全体画像の合焦評価値が基準値より小さい場合（図３のＳ３０３においてＮｏ）、ピント位置ずれとして検出しないことにより、ピント位置をある被写体から別の被写体に移動させている途中の撮影画像に対してピント位置ずれを誤検出することを低減できる。
【００２９】
（実施例２）
実施例２では、実施例１におけるピント位置ずれ検出の条件を一部変更した例を説明する。
本発明の実施例２に係る表示装置の概略構成は、実施例１と同じく図１に示す通りである。説明は、省略する。
本発明の実施例２に係る表示装置が、使用される状況は、実施例１と同じく図２に示す通りである。説明は、省略する。
【００３０】
図５は、本発明の実施例２に係る表示装置が、拡大表示中に実行するピント位置ずれ検出処理を示すフローチャートである。図５を用いて、ピント位置ずれ検出処理を説明する。表示装置２０１は、拡大表示中であるとき、図５の処理を一定時間毎に繰り返し実行する。繰り返し頻度は、１〜５秒に１回程度が好ましいが、これに限られない。図５の中で、図３と同じ符号を用いて示す手順の内容は、実施例１と共通であり、説明は、省略する。表示装置２０１は、部分画像の非合焦回数及び全体画像の非合焦回数を計数し、その値に基づき、ピント位置ずれの検出を行う。
【００３１】
Ｓ５０１：検出部１０４は、部分画像の合焦評価値が、第２の基準値以下と判断した場合（Ｓ３０４においてＹｅｓ）、部分画像の非合焦回数を１増加させる。
Ｓ５０２：検出部１０４は、部分画像の非合焦回数が、基準回数以上の場合（Ｙｅｓ）、Ｓ３０５に進み、ピント位置ずれとして検出する。基準回数以下の場合（Ｎｏ）、終了する。すなわち、検出部１０４は、一定時間毎に、撮影画像内にピントが合っている被写体があり、かつ、部分画像内にピントが合っている被写体がない状態であるかの判定を繰り返し行う。検出部１０４は、撮影画像内にピントが合っている被写体があり、かつ、部分画像内にピントが合っている被写体がない状態であると判定された回数が基準回数以上になると、当該状態が所定時間以上継続したと判定する。検出部１０４は、撮影画像内にピントが合っている被写体があり、かつ、部分画像内にピントが合っている被写体がない状態が、所定時間以上継続した場合に、ユーザが意図した位置にピントが合っていないと判定する。
【００３２】
Ｓ５０３：検出部１０４は、全体画像の合焦評価値が、基準値より小さいと判断した場合（Ｓ３０３においてＮｏ）、全体画像の非合焦回数を１増加させる。
Ｓ５０４：検出部１０４は、全体画像の非合焦回数が、基準回数以上の場合（Ｙｅｓ）、Ｓ３０５に進み、ピント位置ずれとして検出する。基準回数以下の場合（Ｎｏ）、終了する。すなわち、検出部０１４は、一定時間毎に、撮影画像内にピントが合っている被写体がなく、かつ、部分画像内にピントが合っている被写体がない状態であるかの判定を繰り返し行う。検出部１０４は、撮影画像内にピントが合っている被写体がなく、かつ、部分画像内にピントが合っている被写体がない状態であると判定された回数が基準回数以上になると、当該状態が所定時間以上継続したと判定する。検出部１０４は、撮影画像内に
ピントが合っている被写体がなく、かつ、部分画像内にピントが合っている被写体がない状態が、所定時間以上継続した場合に、ユーザが意図した位置にピントが合っていないと判定する。
【００３３】
Ｓ５０５：部分画像の非合焦回数及び全体画像の非合焦回数を０にする。
【００３４】
なお、部分画像の非合焦回数の基準回数と全体画像の非合焦回数の基準回数は、異なっていてもよいし、同じでもよい。
【００３５】
図６は、本発明の実施例２に係る表示装置が実行するピント位置ずれ検出処理を具体的な画像を用いて説明した図である。図６を用いて、３つの具体的画像について、ピント位置ずれ検出処理の内容を説明する。
【００３６】
図６（Ａ）の画像について説明する。全体画像（撮影画像）には、手前と奥に並んだ二人の人が写っている。撮影者２０３は、奥の人Ｘにピントを合わせようとして、奥の人Ｘを部分画像の位置として指定している。撮影装置２０２のピントは、実際には、手前の人Ｙに合っており、奥の人Ｘからは外れている。この場合、全体画像は合焦しているが（Ｓ３０３においてＹｅｓ）、部分画像は合焦していないため（Ｓ３０４においてＹｅｓ）、検出部１０４は、部分画像の非合焦回数を１増加させる（Ｓ５０１）。この状態が継続すると、部分画像の非合焦回数が基準回数以上となり（Ｓ５０２においてＹｅｓ）、検出部１０４は、ピント位置ずれとして検出する（Ｓ３０５）。例えば、この状態が１０秒程度継続した場合に、ピント位置ずれとして検出することが好ましいため、図５に示す処理を１秒に１回繰り返す場合、部分画像の非合焦回数が基準回数１０以上となった場合に、検出部１０４は、ピント位置ずれとして検出する。この場合、実施例１と同様に、撮影者２０３は、ピントを合わせ直す操作をする。ピントを合わせ直す必要があることを撮影者２０３に通知するメッセージの表示やランプの点灯等の処理を行うことにより撮影者２０３によるピント合わせ直し操作を支援することも好ましい。
【００３７】
図６（Ｂ）の画像について説明する。全体画像（撮影画像）には、図６（Ａ）と同じく、手前と奥に並んだ二人の人が写っている。撮影者２０３は、図６（Ａ）と同じく、奥の人Ｘにピントを合わせようとして、奥の人Ｘを部分画像の位置として指定している。撮影装置２０２のピントは、図６（Ａ）とは異なり、実際には、手前の人Ｙと奥の人Ｘの中間の距離に位置している。この場合、全体画像が合焦していないため（Ｓ３０３においてＮｏ）、検出部１０４は、全体画像の非合焦回数を１増加させる（Ｓ５０３）。この状態が継続すると、全体画像の非合焦回数が基準回数以上となり（Ｓ５０４においてＹｅｓ）、検出部１０４は、ピント位置ずれとして検出する（Ｓ３０５）。この状態が１０秒程度継続した場合に、ピント位置ずれとして検出することが好ましいため、図５に示す処理を１秒に１回繰り返す場合、全体画像の非合焦回数が基準回数１０以上となった場合に、検出部１０４は、ピント位置ずれとして検出する。ピントをある位置から別の位置へ移動させる操作（いわゆる「ピント送り」）を行っている途中に、図６（Ｂ）の状態となる。本発明では、この状態の継続期間が基準以下であればピント位置ずれとして検出しないが、基準以上であれば、検出する。そのため、ピント送りの途中の状態でピント位置ずれが検出されることを抑制できる。
【００３８】
図６（Ｃ）の画像について説明する。全体画像（撮影画像）には、撮影装置２０２から等距離に並んだ二人の人が写っている。撮影者２０３は、向かって右の人Ｘにピントを合わせようとして、右の人Ｘを部分画像の位置として指定している。撮影装置２０２のピントは、右の人Ｘと左の人Ｙの両方に合っている。この場合、全体画像が合焦しており（図５のＳ３０３においてＹｅｓ）、部分画像も合焦しているため（Ｓ３０４においてＮｏ）、検出部１０４は、ピント位置ずれとして検出しない。また、検出部１０４は、部分画像
の非合焦回数及び全体画像の非合焦回数を０にする。
【００３９】
実施例２によれば、部分画像の合焦評価値が基準値以下の状態が（図５のＳ３０４においてＹｅｓ）、一定時間継続した場合（図５のＳ５０２においてＹｅｓ）、ピント位置ずれとして検出する。これにより、ピント位置ずれを撮影者に通知し、ピントの再調整を促すことができる。さらに、部分画像の合焦評価値が基準値以下の状態が（図５のＳ３０４においてＹｅｓ）、一定時間継続しない場合（図５のＳ５０２においてＮｏ）、ピント位置ずれとして検出しないことにより、一時的なピント位置の変動が撮影者に通知されることを低減できる。これにより、不必要な警告表示を抑制できる。
【００４０】
全体画像の合焦評価値が基準値より小さい状態が（図５のＳ３０３においてＮｏ）、一定時間継続した場合（図５のＳ５０４においてＹｅｓ）、ピント位置ずれとして検出する。これにより、ピント位置ずれを撮影者に通知し、ピントの再調整を促すことができる。さらに、全体画像の合焦評価値が基準値より小さい状態が（図５のＳ３０３においてＮｏ）、一定時間継続しない場合（図５のＳ５０４においてＮｏ）、ピント位置ずれとして検出しないことにより、一時的なピント位置の変動を撮影者に通知することを低減できる。
【００４１】
（その他の実施例）
上記実施例には、本発明の範囲内で種々の変形が可能である。例えば、撮影装置が、マニュアルフォーカスとオートフォーカスを切り換え可能な構成であるとする。この場合、表示装置（画像処理装置）の制御部１０７は、撮影装置がマニュアルフォーカスモードであるかオートフォーカスモードであるかの情報を取得する第２の取得手段として構成しても良い。この場合、制御部１０７は、撮影装置が、マニュアルフォーカスモードで動作している場合にのみ、撮影画像においてユーザが意図した位置にピントが合っているかの判定を有効とし、上記のピント位置ずれ検出を行っても良い。オートフォーカスモードで動作している場合には、ピント位置ずれ検出を行わない。オートフォーカスモードで動作しているときは、ピント位置は撮影装置が自動で調整及び制御するため、ピント位置ずれ検出を行う必要がない。オートフォーカスモードでピント位置ずれ検出を行わないようにすれば、オートフォーカスモードにおいて撮影者へ不要な警告や通知がなされることを抑制できる。
【００４２】
オートフォーカスモードにおいてフォーカスロックが可能な構成の場合には、マニュアルフォーカスモード時、及び、オートフォーカスモードでフォーカスロック有効時のみ、上述したピント位置ずれ検出を有効にする用にしても良い。フォーカスロックとは、オートフォーカスモードにおいて、一時的にマニュアルフォーカスモードのように、ピントの自動調整を停止し、撮影者が手動で調整した位置でピントを固定できる機能である。この場合、表示装置（画像処理装置）の制御部１０７は、撮影装置がオートフォーカスモードにおいて一時的にユーザが手動でピントの位置を調整可能なフォーカスロックが有効であるか否かの情報を取得する第３の取得手段として構成しても良い。ユーザによるピント調整になるため、マニュアルフォーカスモードの場合と同様のピント合わせ支援を行うことが望ましい。オートフォーカスモードでフォーカスロック無効時は、ピント位置は撮影装置が自動調整及び制御するため、ピント位置ずれ検出は不要である。オートフォーカスモードにおいてフォーカスロック無効時にピント位置ずれ検出を行わないようにすれば、撮影者へ不要な通知や警告がなされることを抑制できる。
【００４３】
上記各実施例では、撮影装置と表示装置とが別体構成の場合を例示したが、撮影者が撮影画像のピントの状態を確認することを支援する画像処理装置としての表示装置が撮影装置に備わる構成でも良い。このような撮影装置は、ビューファインダにおいて撮影画像の一部を拡大表示することでピント合わせを支援する機能を有する撮影装置であり、この構成によりユーザは意図した位置にピントが合っていないことに容易に気付くことができる
。
【００４４】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４５】
１００：入力部、１０４：検出部、１０７：制御部
【図１】
2016218218.tif 000003
【図２】
2016218218.tif 000004
【図３】
2016218218.tif 000005
【図４】
2016218218.tif 000006
【図５】
2016218218.tif 000007
【図６】
2016218218.tif 000008